【手続補正書】
【提出日】平成21年9月14日(2009.9.14)
【手続補正１】
【補正対象書類名】特許請求の範囲
【補正対象項目名】全文
【補正方法】変更
【補正の内容】
【特許請求の範囲】
【請求項１】
回転可能な像担持体と、前記像担持体を摺擦して清掃する回転可能なブラシローラと、前記ブラシローラのブラシに対して一定量侵入して配設され、前記ブラシローラのブラシを起毛処理する金属ブラシと、を有し、前記ブラシローラの回転方向上流側のブラシ部分に対する前記金属ブラシの侵入量は、前記ブラシローラの回転方向下流側のブラシ部分に対する前記金属ブラシの侵入量よりも大きいことを特徴とする画像形成装置。
【請求項２】
回転可能な像担持体と、前記像担持体との間のギャップにおいて放電して前記像担持体を帯電する帯電部材と、前記帯電部材を摺擦して清掃する回転可能なブラシローラと、前記ブラシローラのブラシに対して一定量侵入して配設され、前記ブラシローラのブラシを起毛処理する金属ブラシと、を有し、前記ブラシローラの回転方向上流側のブラシ部分に対する前記金属ブラシの侵入量は、前記ブラシローラの回転方向下流側のブラシ部分に対する前記金属ブラシの侵入量よりも大きいことを特徴とする画像形成装置。
【請求項３】
回転可能な像担持体と、前記像担持体を帯電する帯電手段と、帯電された前記像担持体に静電潜像を形成する露光手段と、前記静電潜像をトナー像として現像する現像手段と、
前記トナー像を記録媒体に転写するための転写手段と、
前記転写手段よりも像担持体回転方向下流で前記帯電手段よりも上流において、前記像担持体を摺擦して像担持体上の転写残トナーの帯電量を制御する回転可能なブラシローラと、を有し、前記ブラシローラのブラシに対して一定量侵入して配設され、前記ブラシローラのブラシを起毛処理する金属ブラシを有することを特徴とする画像形成装置。
【請求項４】
前記ブラシローラの回転方向上流側のブラシ部分に対する前記金属ブラシの侵入量は、前記ブラシローラの回転方向下流側のブラシ部分に対する前記金属ブラシの侵入量よりも大きいことを特徴とする請求項３に記載の画像形成装置。
【手続補正２】
【補正対象書類名】明細書
【補正対象項目名】発明の名称
【補正方法】変更
【補正の内容】
【発明の名称】画像形成装置
【手続補正３】
【補正対象書類名】明細書
【補正対象項目名】０００１
【補正方法】変更
【補正の内容】
【０００１】
本発明は、画像形成装置に関する。
【手続補正４】
【補正対象書類名】明細書
【補正対象項目名】０００８
【補正方法】変更
【補正の内容】
【０００８】
本発明は、このような技術的課題に鑑みてなされたものである。その目的は、ブラシローラを用いた画像形成装置について、ブラシの耐久に伴う毛倒れを長期にわたって防止して、安定した摺擦性能を維持させることにある。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
上記の目的を達成するための本発明に係る画像形成装置の代表的な構成は、回転可能な像担持体と、前記像担持体を摺擦して清掃する回転可能なブラシローラと、前記ブラシローラのブラシに対して一定量侵入して配設され、前記ブラシローラのブラシを起毛処理する金属ブラシと、を有し、前記ブラシローラの回転方向上流側のブラシ部分に対する前記金属ブラシの侵入量は、前記ブラシローラの回転方向下流側のブラシ部分に対する前記金属ブラシの侵入量よりも大きいことを特徴とする。
【手続補正７】
【補正対象書類名】明細書
【補正対象項目名】００１１
【補正方法】変更
【補正の内容】
【００１１】
また、上記の目的を達成するための本発明に係る画像形成装置の他の代表的な構成は、回転可能な像担持体と、前記像担持体との間のギャップにおいて放電して前記像担持体を帯電する帯電部材と、前記帯電部材を摺擦して清掃する回転可能なブラシローラと、前記ブラシローラのブラシに対して一定量侵入して配設され、前記ブラシローラのブラシを起毛処理する金属ブラシと、を有し、前記ブラシローラの回転方向上流側のブラシ部分に対する前記金属ブラシの侵入量は、前記ブラシローラの回転方向下流側のブラシ部分に対する前記金属ブラシの侵入量よりも大きいことを特徴とする。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】変更
【補正の内容】
【００１３】
また、上記の目的を達成するための本発明に係る画像形成装置の更に他の代表的な構成は、回転可能な像担持体と、前記像担持体を帯電する帯電手段と、帯電された前記像担持体に静電潜像を形成する露光手段と、前記静電潜像をトナー像として現像する現像手段と、前記トナー像を記録媒体に転写するための転写手段と、前記転写手段よりも像担持体回転方向下流で前記帯電手段よりも上流において、前記像担持体を摺擦して像担持体上の転写残トナーの帯電量を制御する回転可能なブラシローラと、を有し、前記ブラシローラのブラシに対して一定量侵入して配設され、前記ブラシローラのブラシを起毛処理する金属ブラシを有することを特徴とする。
【手続補正１０】
【補正対象書類名】明細書
【補正対象項目名】００１４
【補正方法】変更
【補正の内容】
【００１４】
本発明によれば、ブラシの耐久に伴う毛倒れを長期にわたって防止して、安定した摺擦性能を維持させることが可能である。
【手続補正１１】
【補正対象書類名】明細書
【補正対象項目名】００２１
【補正方法】変更
【補正の内容】
【００２１】
ここでは、プリンタの全体構成の概略を説明する。図１と図２を参照して、各画像形成ユニットＵＹ・ＵＭ・ＵＣ・ＵＢｋは、それぞれ、矢印の反時計方向に所定の速度で回転駆動される像担持体としての回転ドラム型の電子写真感光体（回転可能な像担持体：以下、ドラムと記す）１を有する。また、ドラム１を所定の極性・電位に一様に帯電する帯電装置２（帯電手段）、ドラム１の一様帯電面をレーザ光Ｌで走査露光して静電潜像（静電像）を形成する情報書き込み手段としてのレーザ露光装置３（露光手段）、ドラム面の静電潜像をトナー像として可視化する現像装置４（現像手段）を有する。第１の画像形成ユニットＵＹの現像装置４にはイエロートナーを含む現像剤を収容してある。第２の画像形成ユニットＵＭにはマゼンタトナーを含む現像剤を収容してある。第３の画像形成ユニットＵＣの現像装置４にはシアントナーを含む現像剤を収容してある。第４の画像形成ユニットＵＢｋの現像装置４にはブラックトナーを含む現像剤を収容してある。
【手続補正１２】
【補正対象書類名】明細書
【補正対象項目名】０１０７
【補正方法】変更
【補正の内容】
【０１０７】
２）一方、金属ブラシ２２ｂを形成する針の侵入量が０．８５倍（２．５５ｍｍ）といった比較的多い侵入量の場合には、清掃ブラシローラ２１のブラシ２１ｂを形成する繊維（糸）と針が必要以上に絡まりあう。そのため、清掃ブラシローラ２１と起毛ブラシ部材２２の摩擦力が増大するため、帯電ローラ表面に対して清掃ブラシローラ２１のブラシが十分に追従できない。そのため、清掃ブラシローラ２１の回転が不安定になってしまったことが原因であると考えられる。
【手続補正１３】
【補正対象書類名】明細書
【補正対象項目名】０１１５
【補正方法】変更
【補正の内容】
【０１１５】
起毛ブラシ部材２２の清掃ブラシローラ２１の回転方向上流側では、清掃ブラシローラ２１のブラシ２１ｂに対する起毛ブラシ部材２２の金属ブラシ２２ｂを形成する針の侵入量を大きく（本実施例では２．０ｍｍ）する。一方、起毛ブラシ部材２２の清掃ブラシローラ２１の回転方向下流側では、清掃ブラシローラ２１のブラシ２１ｂに対する起毛ブラシ部材２２の金属ブラシ２２ｂを形成する針の侵入量を小さく（本実施例では１．０ｍｍ）した（中央部の侵入量は１．５ｍｍ）。即ち、ブラシローラ２１の回転方向上流側のブラシ部分に対する金属ブラシ２２の侵入量は、ブラシローラ２１の回転方向下流側のブラシ部分に対する金属ブラシ２２の侵入量よりも大きい。
【手続補正１４】
【補正対象書類名】明細書
【補正対象項目名】０１３０
【補正方法】変更
【補正の内容】
【０１３０】
この帯電補助手段としての摺擦装置４０は、図１７のように、転写ローラ５（転写手段）よりもドラム回転方向下流側（像担持体回転方向下流）で帯電ローラ２ａ（帯電手段）よりもドラム回転方向上流側（像担持体回転方向上流）に配設してある。摺擦装置４０は、被摺擦体であるドラム１に当接して回転可能な導電ブラシローラ４１（像担持体を摺擦して像担持体上の転写残トナーの帯電量を制御する回転可能なブラシローラ）を有する。また、この導電ブラシローラ３１の周面に、導電ブラシローラ４１の導電ブラシ４１ｂに対して所定量侵入させて配設され、導電ブラシローラ４１の導電ブラシ４１ｂを起毛処理する起毛ブラシ部材４２を有する。
【手続補正１５】
【補正対象書類名】明細書
【補正対象項目名】０１３５
【補正方法】変更
【補正の内容】
【０１３５】
（２）接触帯電部材である帯電ローラ２ａは、被帯電材であるドラム１に対して必ずしも圧接されて接触していなくてもよい。帯電ローラ２ａとドラム１との間に、ギャップ間電圧と補正パッシェンカーブで決まる放電可能領域が保証されていていれば、例えば数１０μｍの微小隙間をあけ、感光体ドラム１に対して非接触状態で近接配置され、回転される構成であってもよい（近接帯電）。